(57)【特許請求の範囲】
【請求項１】
段ボール板を組み立て、上面を開放し、底部に孔部を設けた箱体から成り、該箱体の４つの側面板の上辺にこれらの側面板よりも高さの高い斜面板をそれぞれ上方に向けて延在し、これらの斜面板を前記箱体の内側に先端が前記箱体の底部に至るまでそれぞれ傾斜するように折曲することにより、前記箱体の内部に土壌を入れるための逆台形状の凹部を形成し、前記箱体の全周に対し防水対策を施したことを特徴とする植物栽培槽。
【請求項２】
前記防水対策として、前記箱体の全周を合成樹脂シートにより覆うことを特徴とする請求項１に記載の植物栽培槽。
【請求項３】
前記側面板と前記斜面板と底面板とにより空間部を形成したことを特徴とする請求項１又は２に記載の植物栽培槽。
【請求項４】
前記底部に設けた孔部の周囲を前記合成樹脂シートにより密封し、前記合成樹脂シートによる排水用の孔を形成したことを特徴とする請求項２に記載の植物栽培槽。
【請求項５】
前記段ボール板の波状部の方向は前記側面板、斜面板の高さ方向としたことを特徴とする請求項１〜４の何れか１項に記載の植物栽培槽。
【発明の詳細な説明】
【技術分野】
【０００１】
本発明は、野菜、果物等の植物を栽培し運搬可能な植物栽培槽に関するものである。
【背景技術】
【０００２】
従来、野菜や果物を栽培するには、大きく分けて露地栽培と、例えばビニールハウス、ガラスハウス等の栽培室を用いた温室栽培により栽培されている。露地栽培においては、地面に直接、苗を植えたり、種を播くことにより野菜や果物を栽培している。
【０００３】
これに対してビニールハウス等の温室栽培では、温度や水量を制御する必要のある植物や、出荷時期をずらしたり、天候不順等のリスクを回避して栽培する場合に行われている。この温室栽培においても、一般には栽培室内の地面に直接、苗を植えたり、種を播くことにより野菜や果物を栽培している。
【０００４】
しかし、温室栽培をする場合においても、必ずしも植物の発芽時期、育成時期、収穫時期の全ての過程において、栽培室内で行う必要がない場合もある。
【０００５】
例えば、発芽・幼苗の時期のみ栽培室内で栽培すればよい植物、収穫期までを栽培室内で栽培すればよい植物、開花時期のみ栽培室内で管理すればよい植物、冬季のみ栽培室内で管理すればよい植物もある。
【０００６】
ビニールハウス、ガラスハウス内における温室栽培でも、直接、地面で栽培すると、少なくとも植え付けから収穫までの長い期間、栽培室内を１種の植物で占有してしまう。
【０００７】
農家は収穫を行って初めて収入となるため、栽培室の内外に運搬可能な栽培槽を用いて栽培することにより、栽培室内での管理が不要な時期には、栽培室外に搬出して管理し、その空いた栽培室内で他の植物を栽培することも行われている。
【０００８】
栽培室の内外に運搬可能なものとして、合成樹脂製のプランタが広く知られており、特許文献１においては、植物を栽培する植物栽培槽として段ボール製のプランタが開示されている。
【先行技術文献】
【特許文献】
【０００９】
【特許文献１】特開２００２−２２３６４１号公報
【発明の概要】
【発明が解決しようとする課題】
【００１０】
しかし、通常の植物栽培槽を用いた栽培法は、地面に直接、植えて栽培している栽培法と比較すると、土壌の量が限られて、また土壌表面以外の栽培槽の側面にも日光が当たる。従って、周囲の温度や直射日光の影響を受け易く、土壌の温度が高温になり過ぎたり、冷え過ぎたりすると云う問題を有している。
【００１１】
また、特許文献１による段ボール製のプランタも、安価、軽量ではあるが、植物の育成においては、土壌温度も大きく影響を及ぼし、この土壌温度によっては、根が焼けて枯れてしまったり、生育不良となることもある。
【００１２】
本発明の目的は、上述の問題点を解消し、土壌の温度が高温になり過ぎず、また冷え過ぎない保温効果を有し、段ボール板を用いた安価で軽量で扱い易い植物栽培槽を提供することにある。
【課題を解決するための手段】
【００１３】
上記目的を達成するための本発明に係る植物栽培槽は、段ボール板を組み立て、上面を開放し、底部に孔部を設けた箱体から成り、該箱体の４つの側面板の上辺にこれらの側面板よりも高さの高い斜面板をそれぞれ上方に向けて延在し、これらの斜面板を前記箱体の内側に先端が前記箱体の底部に至るまでそれぞれ傾斜するように折曲することにより、前記箱体の内部に土壌を入れるための逆台形状の凹部を形成し、前記箱体の全周に対し防水対策を施したことを特徴とする。
【発明の効果】
【００１４】
本発明に係る植物栽培槽は、段ボール板の保温効果により、土壌温度が急激に変化することを防止し、安価で使い捨てが可能である。
【図面の簡単な説明】
【００１５】
【図１】組立前の段ボール板の展開図である。
【図２】組み立てた箱体の斜視図である。
【図３】平面図である。
【図４】図３のＡ−Ａ線に沿った断面図である。
【図５】図３のＢ−Ｂ線に沿った断面図である。
【図６】合成樹脂シートにより覆った状態の植物栽培槽の斜視図である。
【図７】底面の孔の断面図である。
【図８】植物栽培槽を載置する架台の構成図である。
【発明を実施するための形態】
【００１６】
本発明を図示の実施例に基づいて詳細に説明する。
図１は植物栽培槽として使用する箱体１の組立前の段ボール板２の展開平面図を示している。この箱体１の素材は段ボール板２とされ、段ボール板２には箱体１に組立てるために所定の形状に切断され、点線で示す谷折り線が形成されている。
【００１７】
段ボール板２は４つの側面板２ａ〜２ｄが横方向に連接され、各側面板２ａ〜２ｄの下辺にはそれぞれ底面板２ｅ〜２ｈが延在されている。また、各側面板２ａ〜２ｄの上辺にはそれぞれ斜面板２ｉ〜２ｌが上方に向けて延在され、斜面板２ｉ〜２ｌの高さは側面板２ａ〜２ｄの高さよりも大きくされている。更に、底面板２ｅ、２ｇにはそれぞれ例えば３個ずつの直径３ｃｍ程度の孔部２ｍが設けられている。
【００１８】
側面板２ａには組立時に隣接する側面板２ｄに接着するための接着片２ｎが付設され、斜面板２ｉ〜２ｌには、組立時に隣接する斜面板２ｉ〜２ｌに係止する係止片２ｏ〜２ｖが付設されている。
【００１９】
なお、段ボール板２は波型形状の紙を上下の別体の紙で挟んでいることから、段ボール板２の断面は波状部を有しており、この波状部の向きが側面板２ａ〜２ｄ、斜面板２ｉ〜２ｌの高さ方向とすることが、箱体１の強度が増すために好ましい。
【００２０】
箱体１を商品として流通させる際には、製造業者は側面板２ａと２ｄとを接着片２ｎを用いて接着剤により接着し、側面板２ａ〜２ｄを連結したループ状にし、折り畳んだ状態で出荷する。
【００２１】
使用者はこの折り畳んである状態の段ボール板を図１の点線に示す谷折り線に沿って折り曲げ、図２〜図５に示すように箱体１の形状に組立てる。
【００２２】
図２は組立てた状態の箱体１の斜視図を示し、箱体１の外形は上面が開放された直方体形状であり、例えば外形の長辺が約６０ｃｍ、短辺が約３０ｃｍ、深さが約１５ｃｍである。図３は平面図、図４は図３のＡ−Ａ線に沿った断面図、図５はＢ−Ｂ線に沿った断面図を示している。なお、箱体１は立方体であってもよいことは勿論である。
【００２３】
箱体１に組み立てる際には、折り畳まれた段ボール板のループ状に連結された側面板２ａ〜２ｄを四角形に拡げ、底面板２ｅ〜２ｈを折曲して、底面板２ｅ〜２ｈ同士を突き合わせ又は重ねて底面を形成し、この突き合わせ部に接着テープを貼付して保形する。
【００２４】
次に、側面板２ａ〜２ｄの上辺から斜面板２ｉ〜２ｌをその先端が底面板２ｅ〜２ｈに至るまでそれぞれ内側に折り返して斜めに傾斜させる。これにより、箱体１の内側は斜面板２ｉ〜２ｌ、底面板２ｅ〜２ｈにより逆台形状の凹部Ｓ１とされている。この組立の過程で、係止片２ｏ〜２ｖは斜面板２ｉ〜２ｌ間に折り込まれて、斜面板２ｉ〜２ｌ同士を係止し、箱体１の形状が保持される。なお、底面には計６個の孔部２ｍが位置している。
【００２５】
この箱体１は上述のように段ボール板２を組み立てることにより形成しているため、実際に凹部Ｓ１に土壌を入れるに際しては、段ボール板２に対して防水対策を施す必要がある。例えば、開口部を有するポリエチレン等の防水性を有する袋状とした樹脂シート袋３に箱体１を挿入した後に、樹脂シート袋３を箱体１の外形に密着させてから開口部をテープ等で封止する。これにより、図６に示すような全周が樹脂シート袋３により覆われた植物栽培槽４が得られる。
【００２６】
その後に、底面板２ｅ、２ｇの孔部２ｍが位置する樹脂シート袋３の部分を、ヒートガン等で加熱することにより、図７に示すように孔部２ｍの両側の樹脂シート袋３が溶けて結合する。これにより、両側の樹脂シート袋３同士が連結し、底面板２ｅ、２ｇに対し密封された例えば直径１．５ｃｍ程度の排水用の孔３ａが形成される。
【００２７】
このように、樹脂シート袋３による密閉により防水処理を行うことで、箱体１には外部から水が浸入することはなくなる。
【００２８】
なお、樹脂シート袋３の色は比較的涼しい土壌温度を好む植物の場合には熱を吸収し難い白色系、暖かい土壌温度を好む植物の場合には熱を吸収し易い黒色系とすることが好適である。
【００２９】
このような植物栽培槽４に対し、４面の斜面板２ｉ〜２ｌに囲まれた逆台形状の凹部Ｓ１に土壌を充填して、野菜や果実等を栽培する。なお、土壌を充填する前に、孔３ａから土壌が流出することを防止するために、例えば合成樹脂製のネットを底面上に敷くことが好ましい。
【００３０】
土壌に潅水した水分のうち、余分な水分は斜面板２ｉ〜２ｌ、孔３ａを介して植物栽培槽４外に排出されるため水はけが良い。
【００３１】
また、植物栽培槽４は、側面板２ａ〜２ｄ、底面板２ｅ〜２ｈ、斜面板２ｉ〜２ｌにより囲まれ、更に樹脂シート袋３により覆われた４つのほぼ密閉された空間部Ｓ２を備えており、周囲の温度が上昇したり、側面板２ａ〜２ｄに直射日光が照射されると空間部Ｓ２内の空気が暖められる。このとき、空間部Ｓ２内には外部からの空気が直接入り込むことはなく、例えば周囲温度が上昇すると側面板２ａ〜２ｄに加えられた熱が、空間部Ｓ２内に存在する空気に熱伝導により伝達して空間部Ｓ２内が徐々に暖まる。
【００３２】
しかし、空気の熱伝導率は低いため、空間部Ｓ２に相当する空間を有しない従来の単なる合成樹脂製のプランタや特許文献１の段ボール板製のプランタと比較すると、空間部Ｓ２内の空気が断熱材の役割を果たすので、土壌への急激な熱伝導は少ない。植物栽培槽４の上部から土壌に外気の熱が直接伝熱することは避けられないが、側面板２ａ〜２ｄにより暖まった空間部Ｓ２内の空気は、斜面板２ｉ〜２ｌを介して徐々に土壌に伝達されることになる。
【００３３】
また、逆に夜になって周囲の空気温度が低下した際には、この空間部Ｓ２内の空気が保温材の役割を果たすので、土壌の熱が斜面板２ｉ〜２ｌ、側面板２ａ〜２ｄ介して外部に熱が伝導し難くなる。このように、空間部Ｓ２による断熱、保温作用により、土壌の急激な温度変化を制御するので、植物の根への悪影響をより低減でき、植物の良好な育成を促すことができる。
【００３４】
また、本実施例における植物栽培槽４は段ボール板２及び樹脂シート袋３から構成されているため、安価で軽量であることから、栽培する野菜、果物の特性に合わせて、頻繁にビニールハウスやガラスハウス等の栽培室への搬入、栽培室から搬出することができる。また、場合によっては調理場までそのまま運搬可能となる。
【００３５】
これにより、栽培する植物にとって最適な時期及び状態で植物栽培槽４を栽培室に搬入、搬出することができ、また同時に複数種の植物を容易に栽培することも可能となり、収益を向上させることができる。更に、植物栽培槽４を持ち上げたりする際に、合成樹脂製の植物栽培槽と比較すると柔軟性を有する感触があり、運搬等の作業も楽に行うことができる。
【００３６】
また、この植物栽培槽４の使用は農家のみでなく、一般家庭におけるベランダ、ガーデニングにおける野菜や花の栽培にも適用できる。
【００３７】
なお本実施例において、植物栽培槽４は樹脂シート袋３により覆うことにより防水性を得ているが、樹脂シート袋３の代りに箱体１の外面に防水シートを貼り合わせたり、防水剤等を塗布することにより防水対策を施すこともできる。
【００３８】
また、この植物栽培槽４の使用が終わった場合には、樹脂シート袋３を破って箱体１を取り出して、そのまま廃棄しても自然分解するので環境への悪影響もない。
【００３９】
図８は栽培室内でこの植物栽培槽４を使用して、植物を栽培する際に好適に使用することができる架台の構成図である。栽培室内に段ボール板から成り、内部空間が大きな複数の筐体１１を並べ、これらの筐体１１上に２本の合成樹脂発泡材による軽量な柱状体１２を平行に載置し、これらの上をビニールシート１３により覆っている。
【００４０】
このような架台の上に、植物栽培槽４を底部の孔３ａが２本の柱状体１２間に位置するよう並べる。これにより、孔３ａを介して植物栽培槽４から流出した水は、柱状体１２間に落下し、ビニールシート１３上を流れ出すので、複数の植物栽培槽４からの水を１個所にまとめて排水をすることができる。
【００４１】
また、筐体１１は内部空間が大きく、栽培室内を暖房する場合に、多数の筐体１１を使用すると、栽培室内はこれらの筐体１１の容積分だけ熱負荷が小さくなるので、徐々に筐体１１内の温度が上昇するとしても、暖房費等を節約することができる。また、柱状体１２間も断熱、保温効果を有する空間として機能する。
【００４２】
また、栽培中の植物栽培槽４を架台の上に載置することにより、設備費が安価となる上に、地面からの湿気を防止できる。植物栽培槽４は柱状体１２上を滑らせて移動することにより、植物栽培槽４を栽培室の内外への運搬が容易で、栽培室内での作業を中腰の姿勢で行うこともなくなり、疲労も少ない。
【符号の説明】
【００４３】
１  箱体
２  段ボール板
２ａ〜２ｄ  側面板
２ｅ〜２ｈ  底面板
２ｉ〜２ｌ  斜面板
２ｍ  孔部
２ｎ  接着片
２ｏ〜２ｖ  係止片
３  樹脂シート袋
３ａ  孔
４  植物栽培槽
１１  筐体
【図１】
0005930855.tif 000002
【図２】
0005930855.tif 000003
【図３】
0005930855.tif 000004
【図４】
0005930855.tif 000005
【図５】
0005930855.tif 000006
【図６】
0005930855.tif 000007
【図７】
0005930855.tif 000008
【図８】
0005930855.tif 000009